(57)【特許請求の範囲】
【請求項１】
第１の通信方式を使用する第１の基地局と、前記第１の通信方式の一部を変更した第２の通信方式を使用する第２の基地局に対しそれぞれ接続が可能な移動通信端末装置であって、
前記第１及び第２の基地局のうち捕捉可能な基地局を見つけて捕捉する捕捉手段と、
この捕捉手段により捕捉された基地局が送信する制御メッセージに含まれる情報から当該基地局が使用する通信方式を認識し、この認識された通信方式を表す表示データを生成して、この生成された表示データを表示部に表示する表示手段と
を具備することを特徴とする移動通信端末装置。
【請求項２】
第１の通信方式を使用する第１の基地局と、前記第１の通信方式に所定の機能を追加した第２の通信方式を使用する第２の基地局に対しそれぞれ接続が可能な移動通信端末装置であって、
前記第１及び第２の基地局のうちいずれかを捕捉する捕捉手段と、
この捕捉手段により捕捉された基地局が送信する制御メッセージに含まれる情報から当該基地局が使用する通信方式を認識し、この結果前記第２の通信方式を認識した場合は前記追加された機能を表す表示データを生成して、この生成された表示データを表示部に表示する表示手段と
を具備することを特徴とする移動通信端末装置。
【請求項３】
前記捕捉手段により前記第１の基地局と第２の基地局との間で待ち受け中のハンドオフが行われる場合に、
前記表示手段は、前記ハンドオフにより新たに捕捉された基地局が送信するハンドオフメッセージに含まれる情報から当該基地局が使用する通信方式を認識し、この認識された通信方式を表す表示データを生成して、この生成された表示データを表示部に表示することを特徴とする請求項１又は２記載の移動通信端末装置。
【請求項４】
前記捕捉手段により前記第１の基地局と第２の基地局との間で情報通信チャネルを介して通信が行われている状態でハンドオフが行われる場合に、
前記表示手段は、前記ハンドオフにより新たに捕捉された基地局が送信するハンドオフメッセージに含まれる情報から当該基地局が使用する通信方式を認識し、この認識された通信方式を表す表示データを生成して、この生成された表示データを表示部に表示することを特徴とする請求項１又は２記載の移動通信端末装置。
【請求項５】
前記捕捉手段により前記第１の基地局が所属する第１の移動通信システムと前記第２の基地局が所属する第２の移動通信システムとの間でシステム選択が行われる場合に、
前記表示手段は、前記システム選択により新たに捕捉された移動通信システムに所属する基地局が送信するシステムパラメータメッセージに含まれる情報から当該基地局が使用する通信方式を認識し、この認識された通信方式を表す表示データを生成して、この生成された表示データを表示部に表示することを特徴とする請求項１又は２記載の移動通信端末装置。
【請求項６】
前記捕捉手段により第１の基地局と第２の基地局との間で捕捉先の変更処理が実行された場合に、
前記表示手段は、前記変更後の基地局の通信方式が認識されるまで、変更前の基地局の通信方式を表す表示データを継続して表示することを特徴とする請求項１乃至５のいずれかに記載の移動通信端末装置。
【請求項７】
前記表示手段は、前記表示データを、表示画面上における受信電界強度又は電池残量の表示データが表示される行と同じ行に並べて表示することを特徴とする請求項１乃至６のいずれかに記載の移動通信端末装置。
【発明の詳細な説明】
【０００１】
【発明の属する技術分野】
この発明は、異なる通信方式を使用する複数種の基地局にそれぞれ接続が可能な移動通信端末装置に関する。
【０００２】
【従来の技術】
一般に移動通信システムは、サービスエリアに複数の基地局を分散して配設し、移動通信端末装置がこれらの基地局のうち最も条件のよい基地局を捕捉することで無線通信が可能となるように構成されている。
【０００３】
ところで、移動通信システムでは運用中に通信規格のバージョンアップが行われることがある。例えば、ＣＤＭＡ（Code Division Multiple Access）方式を採用した移動通信システムでは、ＩＳ９５Ａ／ＩＳ９５Ｂを、規格の基本部分を残してデータ通信速度を高速化したＩＳ２０００−１Ｘ方式へバージョンアップする準備が進められている。
【０００４】
【発明が解決しようとする課題】
しかし、この場合システムのすべての基地局を同時に新たな規格に対応する構成に変更するのは不可能であり、一般にはシステムの各基地局の構成を徐々に変更するようにしている。したがって、すべての基地局に対する構成の変更作業を終了するまでの過渡期間においては、規格の異なる複数種の基地局がサービスエリアに混在した状態となる。
【０００５】
この状態で上記両方の規格に対応する移動通信端末装置が情報通信を行おうとすると、移動通信端末装置の存在位置や電波状況等の条件によっては、当該端末装置が上記新規格に対応した基地局に接続されるか或いはまだ新規格に対応していない旧規格の基地局に接続されるか特定されない。このため、例えば高速のデータ通信を希望するユーザの移動通信端末装置が旧規格の基地局に接続されたとすると、データ通信を終了するまでに思いもよらず長い時間がかかったり、また高額の通信料金が請求されることが予想され、非常に好ましくない。
【０００６】
この発明は上記事情に着目してなされたもので、その目的とするところは、情報通信に際し使用可能な通信方式をユーザが確認できるようにし、これにより不本意な通信が行われるのを事前に回避することが可能な移動通信端末装置を提供することにある。
【０００７】
【課題を解決するための手段】
上記目的を達成するためにこの発明は、第１の通信方式を使用する第１の基地局と、上記第１の通信方式の一部を変更又は追加した第２の通信方式を使用する第２の基地局に対しそれぞれ接続が可能な移動通信端末装置にあって、上記第１及び第２の基地局のうちいずれか捕捉する捕捉手段に加えて、通信方式の表示手段を備える。そして、上記捕捉手段により捕捉された基地局が送信する制御メッセージに含まれる情報から当該基地局が使用する通信方式を認識し、この認識された通信方式を表す表示データを生成して、この生成された表示データを表示部に表示するように構成したものである。
【０００８】
具体的には、捕捉手段により、上記第１の基地局と第２の基地局との間で待ち受け中或いは情報通信中のハンドオフが行われる場合や、第１の基地局が所属する第１の移動通信システムと前記第２の基地局が所属する第２の移動通信システムとの間でシステム選択が行われる場合に、上記表示手段において、上記ハンドオフ或いはシステム選択により新たに捕捉された基地局が送信するハンドオフメッセージ或いはシステムパラメータメッセージに含まれる情報から当該基地局が使用する通信方式を認識し、この認識された通信方式を表す表示データを生成して、この生成された表示データを表示部に表示する。表示する情報としては、例えば変更された機能或いは追加された機能がよい。
【０００９】
したがってこの発明によれば、電源投入時における基地局の初期捕捉時は勿論のこと、待ち受け中或いは情報通信中のハンドオフや、システムロスト等に伴うシステム選択が行われた場合に、新たに捕捉された基地局の通信方式を表す表示データが生成されて表示部に表示される。このため、情報通信を開始する際、或いは情報通信中において、ユーザは自身の移動通信端末装置がいずれの通信方式を使用する基地局に接続されているのかを明確に知ることができる。この結果、例えば大容量のデータを伝送速度の遅い通信方式により伝送してしまうと云った不本意な通信が行われるのを事前に回避することができる。
【００１０】
また、第１の基地局と第２の基地局との間で捕捉先の変更処理が実行された場合に、上記変更後の基地局の通信方式が認識されるまで、変更前の基地局の通信方式を表す表示データを継続して表示するとよい。
【００１１】
一般に移動通信端末装置では、上記ハンドオフやシステム選択などに伴う捕捉先の変更処理が行われている最中に発信要求が発生すると、捕捉の変更処理を中止して変更前の基地局に対し発信処理を実行する。したがって、捕捉の変更処理期間中において変更前の基地局の通信方式を表示し続けることで、ユーザは捕捉の変更処理期間中においても使用可能な通信方式を正確に認識することが可能となる。
【００１２】
【発明の実施の形態】
以下、図面を参照してこの発明に係わる移動通信端末装置の一実施形態を説明する。
【００１３】
図１は、この発明の一実施形態におけるＣＤＭＡ（Code Division Multiple Access）移動通信システムの概略構成図である。
システムがカバーするサービスエリアには複数の基地局ＢＳ１，ＢＳ２，…が分散して配設されており、これらの基地局ＢＳ１，ＢＳ２，…はそれぞれセルと呼ばれる無線通信エリアＥ１，Ｅ２，…を形成している。移動局としての移動通信端末装置ＭＳは、自装置の位置に応じて最寄りの基地局に対し無線チャネルを介して接続される。
【００１４】
ところで、上記各基地局ＢＳ１，ＢＳ２，…には、第１の通信方式を使用する第１の基地局群と、この第１の通信方式の規格の一部をバージョンアップした第２の通信方式を使用する基地局群とがある。例えば、第１の基地局群はＣＤＭＡ方式の規格の一つであるＩＳ９５Ａ又はＩＳ９５Ｂ方式を使用し、一方第２の基地局群は上記ＩＳ９５Ａ又はＩＳ９５Ｂ方式の規格に高速のデータ伝送モードを加えたＩＳ２０００−１Ｘ方式を使用する。
【００１５】
移動通信端末装置ＭＳは、上記ＩＳ９５Ａ又はＩＳ９５Ｂ方式とＩＳ２０００−１Ｘ方式の両方に対応する機能を備え、さらに同じくＣＤＭＡ方式を採用したＰＣＳ（Personal Communication System）等と呼ばれるパーソナル移動通信システム、さらにはＡＭＰＳ（Advanced Mobile Phone System）等に代表されるアナログ通信方式を採用したアナログ携帯電話システムにも対応する機能を備えている。
【００１６】
図２は上記移動通信端末装置ＭＳの機能構成を示すブロック図である。
同図において、基地局ＢＳ１，ＢＳ２，…から送信された無線周波信号は、アンテナ１で受信されたのちアンテナ共用器２（ＤＵＰ）を介して受信回路（ＲＸ）３に入力される。受信回路３では、上記無線周波信号が周波数シンセサイザ（ＳＹＮ）４から出力された受信局部発振信号とミキシングされて中間周波信号或いはベースバンド信号に周波数変換される。なお、上記周波数シンセサイザ４から発生される受信局部発振信号の周波数は、制御部１２からの制御信号ＳＹＣによって指示される。
【００１７】
上記受信中間周波信号又は受信ベースバンド信号は、通信モードとしてディジタルモードが設定されている場合にはＣＤＭＡ信号処理部６に、一方アナログモードが設定されている場合にはアナログオーディオ回路１９にそれぞれ入力される。
【００１８】
ＣＤＭＡ信号処理部６では、入力された受信中間周波信号又は受信ベースバンド信号に対し、直交復調処理と、受信チャネルに割り当てられた拡散符号による逆拡散処理とが行われ、これによりデータレートに応じた所定のフォーマットの復調データが得られる。この復調データは音声符号処理部７に入力される。また、上記復調データのうちデータレートを示す制御データについては受信データレートとして制御部１２に入力される。
【００１９】
音声符号処理部７は、上記ＣＤＭＡ信号処理部６から出力された復調データに対し、制御部１２から通知される受信データレートに応じた伸長処理を施したのち、ビタビ復号等を用いた復号処理と誤り訂正復号処理とを行って、ベースバンドの受信ディジタルデータを再生する。
【００２０】
ＰＣＭ符号処理部８は、制御部１２から出力されたディジタル音声信号通信の種別（音声通信か又はデータ通信）に応じて異なる信号処理を行う。すなわち、音声通信時には、音声符号処理部７から出力された受信ディジタルデータをＰＣＭ復号してアナログ受話信号を出力する。このアナログ受話信号は、受話増幅器９により増幅されたのちスピーカ１０から拡声出力される。またデータ通信時には、音声符号処理部７から出力された受信ディジタルデータを制御部１２へ供給する。制御部１２は、上記受信ディジタルデータを記憶部１３に格納すると共に、表示部１５に表示させる。
【００２１】
なお、上記受信ディジタルデータは、必要に応じて図示しない携帯情報端末（ＰＤＡ：Personal Digital Assistance ）やノート型パーソナル・コンピュータ等の外部情報端末機器へ図示しない外部インタフェースを介して転送することも可能である。
【００２２】
これに対しアナログオーディオ回路１９は、入力された受信中間周波信号をＦＭ検波器等によりアナログ復調してアナログ受話信号を再生する。このアナログ受話信号は、上記受話増幅器９により増幅されたのちスピーカ１０から拡声出力される。
【００２３】
一方、音声通信時における話者の入力音声は、マイクロホン１１を通じてアナログ送話信号として入力され、送話増幅器１８で適正レベルまで増幅される。そして、通信モードとしてディジタルモードが設定されている場合にはＰＣＭ符号処理部８に、一方アナログモードが設定されている場合にはアナログオーディオ回路１９にそれぞれ入力される。
【００２４】
ＰＣＭ符号処理部８では、入力されたアナログ送話信号に対しＰＣＭ符号化処理が施される。これにより生成された送信データは、音声符号処理部７に供給される。また、上記外部情報端末機器から出力されたデータは、図示しない外部インタフェースを介して制御部１２に入力され、この制御部１２からＰＣＭ符号処理部８を通過して音声符号処理部７に入力される。
【００２５】
音声符号処理部７は、音声通信時には、ＰＣＭ符号処理部８から出力された送信音声データより入力音声のエネルギ量を検出し、この検出結果に基づいてデータレートを決定する。そして、上記送信データを上記データレートに応じたフォーマットのバースト信号に圧縮し、さらに誤り訂正符号化処理を施したのちＣＤＭＡ信号処理部６へ出力する。これに対しデータ通信時においては、ＰＣＭ符号処理部８から出力された送信データを、予め設定されたデータレートに応じたフォーマットのバースト信号に圧縮し、さらに誤り訂正符号化処理を施してＣＤＭＡ信号処理部６へ出力する。なお、音声通信時およびデータ通信時のいずれのデータレートも、送信データレートとして制御部１２に通知される。
【００２６】
ＣＤＭＡ信号処理部６は、上記音声符号処理部７にて圧縮されたバースト信号に対して、送信チャネルに割り当てられた拡散符号を用いて拡散処理を施す。そしてこの拡散符号化された送信信号に対して直交変調処理を施し、この直交変調信号を送信回路（ＴＸ）５へ出力する。
【００２７】
一方、アナログオーディオ回路１９は、入力されたアナログ送話信号により搬送波信号をＦＭ変調方式等のアナログ変調方式を用いて変調し、この変調された搬送波信号を送信回路（ＴＸ）５へ出力する。
【００２８】
送信回路５は、入力された直交変調信号又は搬送波信号を周波数シンセサイザ４から発生される送信局部発振信号と合成して無線周波信号に変換する。そして送信回路５は、制御部１２により通知される送信データレートに基づいて、上記無線周波信号の有効部分だけを高周波増幅し、送信無線周波信号として出力する。この送信回路５から出力された送信無線周波信号は、アンテナ共用器２を介してアンテナ１に供給され、このアンテナ１から図示しない基地局へ向けてバースト送信される。
【００２９】
入力部１４には、ダイヤルキーや発信キー、電源キー、終了キー、音量調節キー、モード指定キー等のキー群が設けられ、また表示部１５にはＬＣＤ表示器及びＬＥＤが設けられている。ＬＣＤ表示器には、電話帳の記憶情報や発着信履歴、相手話者の端末装置の電話番号、自装置の動作状態等が表示される。またＬＥＤは、着信報知や、バッテリ１６のDischarge 状態、つまりバッテリ１６の充電を要求する情報等を表示する際に、点灯或いは点滅駆動される。
【００３０】
なお、１７は電源回路であり、バッテリ１６の出力をもとに所定の動作電源電圧Ｖccを生成して各回路部に供給する。また、電源回路１７には充電回路も設けられており、この充電回路によりバッテリ１６の充電が行われる。
【００３１】
ところで制御部１２は、例えばマイクロコンピュータを主制御部として備えたもので、発着信に応じて無線接続制御を実行し音声通信やデータ通信を可能にする無線通信制御機能や位置登録制御機能等に加え、この発明に係わる制御機能として、基地局捕捉制御機能１２ａと、通信方式表示制御機能１２ｂとを備えている。
【００３２】
基地局捕捉制御機能１２ａは、電源投入時、待ち受け中或いは情報通信中のハンドオフ時、及びシステム選択時において、各基地局ＢＳ１，ＢＳ２，…に対するサーチを行い、このサーチ結果をもとに条件に適合する基地局を選択し捕捉する処理を実行する。
【００３３】
通信方式表示制御機能１２ｂは、上記基地局捕捉制御機能１２ａにより捕捉された基地局が送信する制御メッセージを受信し、この受信された制御メッセージから通信方式を表すデータを抽出して、この抽出したデータをもとに通信方式をユーザに報知するための表示マークを生成し表示部１５のＬＣＤ表示器に表示させる。
【００３４】
なお、上記基地局捕捉制御機能１２ａ及び通信方式表示制御機能１２ｂは、いずれも制御部１２のマイクロプロセッサにプログラムを実行させることにより実現される。このプログラムは、制御部１２内のプログラムメモリ或いは記憶部１３内のプログラム記憶エリアに格納される。これらのプログラムメモリ或いはプログラム記憶エリアへのプログラムの格納手段としては、製造時にプログラムライタにより予め記録するものや、端末装置の運用開始後にＣＤＲＯＭやメモリカード等の外部メモリから読み込んで上記プログラムメモリ或いはプログラム記憶エリアに書き込むもの、さらには通信ネットワークを介して通信事業者或いはメーカのサイトからダウンロードして上記プログラムメモリ或いはプログラム記憶エリアに書き込むもの等がある。
【００３５】
次に、以上のように構成された移動通信端末装置ＭＳの動作を説明する。
先ず、電源が投入された場合及び待ち受け時のハンドオフが行われた場合に、移動通信端末装置ＭＳでは次のような通信方式表示動作が行われる。図３はその制御手順と制御内容を示すシーケンス図である。
【００３６】
電源が投入されると、移動通信端末装置ＭＳの制御部１２は先ずステップ３ａで基地局サーチを実行する。この基地局サーチでは、周辺の複数の基地局がパイロットチャネルにより送信しているパイロット信号が順次受信され、その受信品質がそれぞれ測定される。そして、この受信品質の測定結果をもとに、捕捉先として最適な基地局が選択される。
【００３７】
さて、いま例えば移動通信端末装置ＭＳが図１に示すように無線エリアＥ２と無線エリアＥ５との境界領域に位置していたとし、かつ基地局ＢＳ５からのパイロット信号の受信品質より基地局ＢＳ２からのパイロット信号の受信品質の方が良好だったとする。そうすると移動通信端末装置ＭＳの制御部１２は、上記選択された基地局ＢＳ２がシンクチャネルにより送信するシンクチャネル信号を受信し、この信号をもとに基地局ＢＳ２に対し同期を確立するための処理を行う（ステップ３ｂ）。そして、同期が確立されると受信チャネルをページングチャネルに切り替えたのち待ち受け状態（ステップ３ｄ）に移行するが、その際にステップ３ｃにおいて通信方式を表す情報を表示するための処理を実行する。
【００３８】
すなわち、制御部１２は、上記基地局ＢＳ２がページングチャネルにより送信するエクステンディドシステムパラメータメッセージ（ＥＳＰＭ；Extended System Parameters Message）を受信する。図４にこのＥＳＰＭのフォーマットを示す。そして、この受信されたＥＳＰＭのＰ＿ＲＥＶフィールドＰ１から、基地局ＢＳ２が使用する通信方式を表すデータを抽出し、この抽出されたデータをもとに上記通信方式の表示マークを生成して、表示部１５に設けられたＬＣＤ表示器のピクト情報表示領域１５ａに表示する。
【００３９】
例えば、いま基地局ＢＳ２の通信方式がＩＳ２０００−１Ｘ方式だったとすれば、基地局ＢＳ２から到来するＥＳＰＭのＰ＿ＲＥＶフィールドＰ１にはＩＳ２０００−１Ｘ方式であることを表すデータが挿入されている。このため、ＬＣＤ表示器のピクト情報表示領域１５ａには、ＩＳ２０００−１Ｘ方式であることを表すマーク“１Ｘ”が表示される。図７（ａ）の４ａはその表示例を示すものである。
【００４０】
したがって、ユーザはこのピクト情報表示領域１５ａに表示されたマーク４ａにより、いま自己の端末装置が捕捉している基地局ＢＳ２の通信方式を確認することが可能となる。
【００４１】
また、上記待ち受け状態３ｄにおいて制御部１２は、ステップ３ｅで定期的に基地局サーチを行う。そして、この基地局サーチ３ｅにより測定される周辺の各基地局からのパイロット信号の受信品質をもとに、ステップ３ｆでアイドルハンドオフの要否を判定する。
【００４２】
さて、この状態で移動通信端末装置ＭＳが例えば図１のＭＳ′に示すように基地局ＢＳ５により近い位置へ移動したとする。そうすると基地局ＢＳ２からのパイロット信号の受信品質より基地局ＢＳ５からのパイロット信号の受信品質の方が良好になるため、制御部１２はハンドオフが必要と判定し、ステップ３ｇに移行する。そして、このステップ３ｇにおいて、基地局ＢＳ５がシンクチャネルを介して送信しているシンクチャネル信号を受信し、このシンクチャネル信号をもとに基地局ＢＳ５に対する同期確立動作を実行する。そして、同期が確立されると、受信チャネルをページングチャネルに切り替えたのち待ち受け状態３ｉに移行するが、その際にステップ３ｈにより通信方式の表示変更処理を実行する。
【００４３】
すなわち、制御部１２は、ハンドオフ先の基地局ＢＳ５がページングチャネルにより送信するＥＳＰＭを受信し、この受信されたＥＳＰＭのＰ＿ＲＥＶフィールドＰ１から、ハンドオフ先の基地局ＢＳ５が使用する通信方式を表すデータを抽出する。そして、この抽出されたデータをもとに上記通信方式の表示マークを生成して、ＬＣＤ表示器のピクト情報表示領域１５ａに表示する。
【００４４】
例えば、いまハンドオフ先の基地局ＢＳ５の通信方式がＩＳ９５Ａ又は９５Ｂ方式だったとすれば、基地局ＢＳ５から到来するＥＳＰＭのＰ＿ＲＥＶフィールドＰ１にはＩＳ９５Ａ又は９５Ｂ方式であることを表すデータが挿入されている。このため、ＬＣＤ表示器のピクト情報表示領域１５ａには、ＩＳ９５Ａ又は９５Ｂ方式であることを表すマーク“Ｄ”が表示される。図７（ｂ）の４ｂはその表示例を示すものである。
【００４５】
なお、このときハンドオフ元の基地局ＢＳ２の通信方式を表す“１Ｘ”の表示は、上記ハンドオフ先の基地局ＢＳ５の通信方式“Ｄ”を表示するまで保持される。すなわち、アイドルハンドオフ処理期間中にはハンドオフ元の基地局ＢＳ２の通信方式が表示される。
【００４６】
したがって、ユーザはアイドルハンドオフ後においても、自己の移動通信端末装置ＭＳ′が捕捉している基地局ＢＳ５の通信方式を確認することができる。このため、上記表示された通信方式を確認した上で、使用可能な通信方式に適する形態の情報通信を行うことが可能となる。
【００４７】
例えば、ウエブページやサイトから画像コンテンツや音楽コンテンツをダウンロードする場合のように、大容量のデータ通信を行う場合には、高速度のデータ伝送モードを持つＩＳ２０００−１Ｘ方式を使用可能なときに上記データ通信を行うことができる。
【００４８】
次に、情報通信中のハンドオフが行われた場合の通信方式表示制御について説明する。図５はその制御手順と制御内容を示すシーケンス図である。
例えば、いま移動通信端末装置ＭＳが基地局ＢＳ２との間でＩＳ２０００−１Ｘ方式により無線通信を行っているものとする。このときＬＣＤ表示器１５ａのピクト情報表示領域１５ａには、使用中の通信方式がＩＳ２０００−１Ｘ方式であることを示す“１Ｘ”が表示されている。
【００４９】
この通信状態５ａにおいて制御部１２は、ステップ５ｂで定期的に基地局サーチを行う。そして、この基地局サーチ５ｂにより測定される周辺の各基地局からのパイロット信号の受信品質をもとに、ステップ５ｃでハンドオフの要否を判定する。
【００５０】
さて、この状態で移動通信端末装置ＭＳが例えば図１のＭＳ′に示すように基地局ＢＳ５に近い位置へ移動したとする。そうすると基地局ＢＳ２からのパイロット信号の受信品質より基地局ＢＳ５からのパイロット信号の受信品質の方が良好になるため、制御部１２はハンドオフが必要と判定して次のようにハンドオフ処理を実行する。
【００５１】
すなわち、制御部１２は先ず、上記基地局サーチ５ｂにより測定された周辺の各基地局からのパイロット信号の受信品質を表すメッセージ（ＰＳＭＭ；Pilot Strength Measurement Message）を作成し、このＰＳＭＭを現在捕捉されているハンドオフ元の基地局ＢＳ２へ通知する。このＰＳＭＭを受信すると基地局ＢＳ２は、上記ＰＳＭＭに対する応答メッセージ（ＢＳＡＣＫ）を移動通信端末装置ＭＳへ返送したのち、ハンドオフ先を指示するメッセージ（ＥＨＤＭ；Extended Handoff Direction Message或いはＧＨＤＭ；General Handoff Direction Message）を作成し、このＥＨＤＭ又はＧＨＤＭをハンドオフ要求元の移動通信端末装置ＭＳに通知する。
【００５２】
移動通信端末装置ＭＳの制御部１２は、上記ＥＨＤＭ又はＧＨＤＭを受信すると、現在捕捉されている基地局ＢＳ２との間の無線リンクを保持したまま、上記ＥＨＤＭ又はＧＨＤＭの指示に従いハンドオフ先の基地局ＢＳ５との間で同期を確立するための処理を実行する。そして、同期が確立されてトラフィックチャネルによる無線リンクが確立されると、ハンドオフ完了メッセージ（ＨＯＣＭ；Handoff Completion Message）を作成して、ハンドオフ元の基地局ＢＳ２へ送信する。かくして、移動通信端末装置ＭＳは、ハンドオフ元の基地局ＢＳ２とハンドオフ先の基地局ＢＳ５との両方にそれぞれ接続された状態５ｄとなる。
【００５３】
この状態で移動通信端末装置ＭＳの制御部１２は、上記ハンドオフ元の基地局ＢＳ２及びハンドオフ先の基地局ＢＳ５からのパイロット信号の受信品質をそれぞれ監視し、両者の差がしきい値以上になると、各基地局ＢＳ２，ＢＳ５に対しＰＳＭＭを通知する。各基地局ＢＳ２，ＢＳ５は、上記ＰＳＭＭを受信するとハンドオフ要求元の移動通信端末装置ＭＳに対し応答メッセージＢＳＡＣＫを返送したのち、ＥＨＤＭ或いはＧＨＤＭを作成してこれを移動通信端末装置ＭＳに通知する。図６にＥＨＤＭのフォーマットを示す。
【００５４】
移動通信端末装置ＭＳの制御部１２は、上記各基地局ＢＳ２，ＢＳ５からＥＨＤＭ又はＧＨＤＭを受信すると、このＥＨＤＭ又はＧＨＤＭの指示に従いハンドオフ元の基地局ＢＳ２との間の無線リンクを解放する。そして、この無線リンクの開放処理が完了すると、ＨＯＣＭを作成してこのＨＯＣＭをハンドオフ元の基地局ＢＳ２及びハンドオフ先の基地局ＢＳ５へそれぞれ返送する。かくして、移動通信端末装置ＭＳは、ハンドオフ先の基地局ＢＳ５のみに接続された状態５ｇとなる。
【００５５】
また、上記ハンドオフ処理の過程において移動通信端末装置ＭＳの制御部１２は、ステップ５ｅにより、ハンドオフ先の基地局ＢＳ５から通知されたＥＨＤＭ或いはＧＨＤＭのＰ＿ＲＥＶフィールドＰ２から、ハンドオフ先の基地局ＢＳ５が使用する通信方式を表すデータを抽出する。そして、上記ＨＯＣＭの送信に対するハンドオフ先の基地局ＢＳ５からの応答メッセージＢＳＡＣＫの受信を確認すると、ステップ５ｆにおいて、上記Ｐ＿ＲＥＶフィールドＰ２から抽出されたデータをもとに上記通信方式の表示マークを生成して、ＬＣＤ表示器のピクト情報表示領域１５ａに表示する。
【００５６】
例えば、ハンドオフ先の基地局ＢＳ５の通信方式がＩＳ９５Ａ又は９５Ｂ方式であれば、ＬＣＤ表示器のピクト情報表示領域１５ａには図７（ｂ）の６ｂに示すようにＩＳ９５Ａ又は９５Ｂ方式であることを表すマーク“Ｄ”が表示される。
【００５７】
なお、以上のハンドオフ処理手順において、ハンドオフ元の基地局ＢＳ２の通信方式を表す“１Ｘ”の表示は、上記ハンドオフ先の基地局ＢＳ５からＨＤＭが受信され、かつハンドオフ処理が終了するまで保持される。すなわち、情報通信中におけるハンドオフ処理においても、一連のハンドオフ処理が完了するまではハンドオフ元の基地局ＢＳ２の通信方式が表示される。
【００５８】
したがってユーザは、情報通信中にハンドオフが行われ、これにより通信方式が変更された場合にも、この通信方式の変更を認識することができる。そして、例えば大容量のデータの通信中に、上記ハンドオフによりＩＳ２０００−１Ｘ方式からＩＳ９５Ａ又は９５Ｂ方式への通信方式の変更が行われた場合には、再び基地局ＢＳ２の無線通信エリアＥ２へ戻るか、或いはデータ通信を途中で終了するなどの対応を実施することが可能となる。
【００５９】
以上述べたようにこの実施形態では、電源投入が投入されたとき、待ち受け中のハンドオフが行われたとき、及び情報通信中のハンドオフが行われたときに、新たに捕捉された基地局から到来するＥＳＰＭやＥＨＤＭ又はＧＨＤＭのＰ＿ＲＥＶフィールドＰ１，Ｐ２から通信方式を表すデータを抽出し、この抽出されたデータをもとに上記捕捉された基地局が使用する通信方式を表す表示マークを生成してＬＣＤ表示器のピクト情報表示領域１５ａに表示するようにしている。
【００６０】
したがって、ユーザは電源投入時は勿論のこと、待ち受け中のアイドルハンドオフや情報通信中のハンドオフが行われた場合においても、自己の移動通信端末装置ＭＳが捕捉している基地局の通信方式を常に確認することが可能となる。このため、上記表示された通信方式を確認した上で、使用可能な通信方式に適する形態の情報通信を選択することが可能となる。
【００６１】
なお、この発明は上記実施形態に限定されるものではない。例えば、前記実施形態では１個の移動通信システムに所属する複数の基地局間でハンドオーバが行われた場合の通信方式表示制御を例にとって説明した。しかし、それに限らず異なる複数の移動通信システム間で接続先のシステムを切り替えるいわゆるシステム選択が行われる場合にも、この発明に係わる通信方式表示制御を適用することが可能である。この場合も、システム選択処理により新たに選択されたシステムの基地局から到来するシステムパラメータメッセージを受信し、この受信されたメッセージから通信方式を表すデータを抽出してユーザに報知することで同様に実現できる。
【００６２】
また前記実施形態では、電源投入時において、捕捉された基地局からページングチャネルにより送られるＥＳＰＭに設定されたＰ＿ＲＥＶフィールドから通信方式を表すデータを抽出し表示を行う場合について述べた。しかし、これに限るものではなく、捕捉された基地局からシンクチャネルにより送られるシンクチャネルメッセージ（Sync Channel Message）に設定されたＰ＿ＲＥＶフィールドから通信方式を表すデータを抽出し表示を行うようにしてもよい。
【００６３】
さらに前記実施形態では、情報通信中のハンドオフ動作としてソフトハンドオフを例にとって説明したが、無線周波数の切り替えを含むハードハンドオフにもこの発明は同様に適用可能である。
【００６４】
また、ハンドオフ処理により通信方式が変更された場合に、例えば変更後の通信方式を表す表示マーク“１Ｘ”或いは“Ｄ”を点滅させたり、通信方式が変更された旨の表示メッセージを別途生成して表示するようにしてもよい。また鳴音や振動によりその旨をユーザに報知するようにしてもよい。このようにすると、ユーザは通信方式の変更をより明確に認識することができる。
【００６５】
さらに、通信方式の報知手段として、通信方式を表すマークを表示する以外に、通信方式を表す表示メッセージを生成して表示したり、音声合成技術を用いて上記通信方式を表す音声メッセージを生成しスピーカから出力させるようにしてもよい。
【００６６】
また前記実施形態では、ＩＳ９５Ａ／９５Ｂ方式を使用する基地局とＩＳ２０００−１Ｘ方式を使用する基地局とが混在する移動通信システムを例にとって説明したが、その他の通信方式を使用する基地局が混在するシステムにも、この発明は適用可能である。
【００６７】
さらに、上記通信方式の報知制御機能に加え、ユーザによる基地局の再捕捉要求を受け付ける機能と、基地局の再捕捉制御機能とをさらに設ける。そして、通信方式の報知を受けたユーザが、捕捉先を希望する通信方式の基地局へ変更するための再捕捉要求を入力した場合に、この要求に応じて周辺基地局の再サーチを実行し、このサーチ結果をもとにユーザが希望する通信方式を使用する基地局の有無を判定する。そして、ユーザが希望する通信方式を使用する基地局のうち捕捉可能な基地局が見つかった場合には、捕捉先をこの基地局へ変更する処理を実行するように構成してもよい。なお、ユーザが希望する通信方式を使用する基地局のうち捕捉可能な基地局が見つからなかった場合には、捕捉先を現状のまま保持した上で、変更が不可能な旨とその理由を表すメッセージを生成してユーザに報知する。
【００６８】
このように構成することで、ユーザは希望する通信方式を使用する基地局が捕捉されていない場合に、端末装置に対し簡単な操作で基地局の再捕捉を実行させることができる。また、希望する通信方式を使用する基地局が捕捉できない場合に、ユーザはその旨と理由を明確に知ることができる。
【００６９】
さらに前記実施形態では、待ち受け中のハンドオフにおいて、新たに同期を確立した基地局から最初に送信されるページング信号をもとに通信方式の表示を行い、その上で待ち受け状態に移行した。しかし、それに限らず待ち受け状態に移行した後に定期的に基地局から送信されるページング信号を受信してＰ−ＲＥＶ値を検出し、それまでに受信した値とを比較して、変更又は追加があった場合に通信方式の表示を更新するようにしてもよい。
【００７０】
その他、通信方式の種類、移動通信端末装置の種類や構成、通信方式の報知制御手順とその内容、報知情報の内容（例えば変更又は追加された機能を表す情報を含めてもよい）、報知手段の種類と構成等についても、この発明の要旨を逸脱しない範囲で種々変形して実施できる。
【００７１】
【発明の効果】
以上詳述したようにこの発明では、第１の通信方式を使用する第１の基地局と、上記第１の通信方式の一部を変更した第２の通信方式を使用する第２の基地局に対しそれぞれ接続が可能な移動通信端末装置にあって、捕捉された基地局が送信する制御メッセージに含まれる情報から当該基地局が使用する通信方式を認識し、この認識された通信方式を表す表示データを表示器に表示するようにしている。
【００７２】
したがってこの発明によれば、情報通信に際し使用可能な通信方式をユーザが確認できるようになり、これにより不本意な通信が行われるのを事前に回避することが可能な移動通信端末装置を提供することができる。
【図面の簡単な説明】
【図１】  この発明の一実施形態に係わる移動通信システムの概略構成図。
【図２】  この発明の一実施形態に係わる移動通信端末装置の構成を示すブロック図。
【図３】  図２に示した移動通信端末装置において電源投入時及び待ち受け中のハンドオフ時に行われる通信方式表示制御の手順と内容を示すシーケンス図。
【図４】  図３に示した通信方式表示制御に用いるシステムパラメータメッセージのフォーマットの一例を示す図。
【図５】  図２に示した移動通信端末装置において情報通信中のハンドオフ時に行われる通信方式表示制御の手順と内容を示すシーケンス図。
【図６】  図５に示した通信方式表示制御に用いるハンドオフディレクションメッセージのフォーマットの一例を示す図。
【図７】  図３及び図５に示した通信方式表示制御による通信方式の表示結果の一例を示す図。
【符号の説明】
ＢＳ１，ＢＳ２，…基地局
ＭＳ…移動通信端末装置
１…アンテナ
２…アンテナ共用器（ＤＵＰ）
３…受信回路（ＲＸ）
４…周波数シンセサイザ（ＳＹＮ）
５…送信回路（ＴＸ）
６…ＣＤＭＡ信号処理部
７…音声符号処理部
８…ＰＣＭ符号処理部
９…受話増幅器
１０…スピーカ
１１…マイクロホン
１２…制御部
１２ａ…基地局捕捉制御機能
１２ｂ…通信方式表示制御機能
１３…記憶部
１４…入力部
１５…表示部
１６…バッテリ
１７…電源回路
１８…送話増幅器
１９…アナログオーディオ回路
【図１】
0003895982.tif 000002
【図２】
0003895982.tif 000003
【図３】
0003895982.tif 000004
【図４】
0003895982.tif 000005
【図５】
0003895982.tif 000006
【図６】
0003895982.tif 000007
【図７】
0003895982.tif 000008